(57)【特許請求の範囲】
【請求項１】
挿入されるメモリカードを収容するとともに、収容した前記メモリカードの電極に接続する端子を備える樹脂製のハウジングと、カードを挿入する挿入口を開口させた状態で前記ハウジングを上方から覆うシールドカバーと、前記ハウジング内に、前記メモリカードの挿入方向及び排出方向にスライド移動自在に配設され、前記メモリカードの前記ハウジング内への挿入に伴い、前記メモリカードに押圧されて前記ハウジング内を奥側の装着位置まで移動し、排出時には前記メモリカードとともに前記挿入口側の排出位置まで移動して、前記排出位置で前記メモリカードを前記挿入口から外側に突出させた状態で保持するスライド部材と、前記スライド部材を前記排出方向へ付勢する付勢部材と、前記ハウジング及びスライド部材のいずれか一方に形成されたハート形のカム溝部と、前記ハウジング及びスライド部材のいずれか他方に設けられるとともに前記カム溝部に係合し、前記メモリカードの押圧操作による前記スライド部材の移動に伴い、前記カム溝部内を移動して、前記スライド部材を、前記付勢部材の付勢力に抗して前記装着位置に保持する位置と、保持を解除する位置とに移動させるロックピンと、前記シールドカバーの一部を下方に切り起こして形成され、前記ロックピンを下方に押圧し、前記ロックピンの前記カム溝部からの抜けを防止する押圧部材とを有し、
前記押圧部材は、前記シールドカバーに、前記ロックピンが前記排出位置から移動して前記カム溝部の移動中に前記カム溝部側に押圧する位置に形成され、
前記排出位置における前記ロックピンと上方の前記シールドカバーとの間には隙間が形成されていることを特徴とするメモリカードコネクタ。
【請求項２】
前記スライド部材は、前記ハウジングの一側面側に沿って、前記挿入方向及び排出方向にスライド移動自在に配置され、
前記カム溝部は、前記ハウジング内に、前記スライド部材のスライド移動領域より奥側に形成され、
前記ロックピンは、前記カム溝部に係合して、前記スライド部材に設けられていることを特徴とする請求項１記載のメモリカードコネクタ。
【発明の詳細な説明】
【技術分野】
【０００１】
本発明は、挿入されるメモリカードを装着位置で保持して、メモリカードの端子に電気的に接続されるプッシュインプッシュアウト式のメモリカードコネクタに関する。
【背景技術】
【０００２】
従来、カメラ機能付き携帯電話或いはデジタルカメラで撮像された画像データを記憶する記録媒体、携帯型音楽再生機で再生される音楽デジタルデータを記憶する記録媒体、或いは、作成した文章データを記憶する記憶媒体として、カード型のメモリカードが知られている。
【０００３】
メモリカードは、一般的に、外観が矩形薄板形状に形成された小型の樹脂製パッケージの内部に読み書き自在な半導体メモリ（ＲＡＭ）が収容されるともに、パッケージにおける一方の裏面の端部に電気的に接続される複数の電極が並設されてなる。
【０００４】
メモリカードは、種類毎に決められた寸法、形状に形成され、デジタルカメラ、携帯型音楽再生機、ノート型パソコン、携帯電話機等の装着される電子機器には、メモリカードの種類毎の寸法、形状に対応したメモリカードコネクタを介して装着される。
【０００５】
メモリカードコネクタ（以下、「コネクタ」という）としては、例えば、特許文献１に示すように、先端側の一側辺部に切り欠き部が形成されたメモリーカード用のプッシュインプッシュアウト式のコネクタが知られている。
【０００６】
一般的に、所謂プッシュインプッシュアウト式のコネクタは、メモリカードの挿入時にはメモリカードを挿着位置にロックさせると共に、排出時にはロックを解除して挿着位置からメモリカードを排出させるロック機構を備える。
【０００７】
このロック機構は、メモリカードの収容部を有するハウジングに設けられたハート形のカム（ハートカム）と、ハートカムの回りのスライド溝に一端側が係合され、他端側をスライド部材に回動可能に支持されたロックピンとを備える。メモリカードの挿入に伴ってスライド部材が挿入方向へ移動されることによって、ロックピンの一端部がスライド溝を摺動してロック及びロック解除が行われるものとなっている。このロック機構においては、メモリカードが挿入方向へ移動されると、ハート形のスライド溝内を摺動するロックピンが当該スライド溝に設けられたロック用の凹溝部に係合することにより挿着位置にロックされるものとなる。そして、ロックを解除するには、挿着位置にロックされた状態のメモリカードを、一旦挿入方向へ押圧させることによって、ロックピンはスライド溝の凹溝部から離脱する。すると、スライド部材を排出方向へ付勢しているコイルばねの付勢力によってメモリカードは排出方向へ排出される。
【０００８】
このようなロック機構におけるハート形のスライド溝には、ロックピンが一方向へ循環移動させる必要がある。このため、スライド溝の底面にロックピンの戻りを防止するための複数の段差を形成したり、あるいはスライド溝の内壁面や外壁面の形状を工夫してロックピンが一方向しか回動しないように形成されたりしている。
【０００９】
また、ロックピンが移動時にスライド溝の周囲のスライド溝から抜け出ることのないように、特許文献１では、カバー２の一部を舌片状に下向きに切り起こした外れ防止ばね部によって、ロックピンは上からスライド溝の底面上に対して摺動可能に押圧されている。
【００１０】
このように構成されたコネクタは、カバーの両脇の下辺部に水平に延び出るように設けられた固定片を基板上のパターン上に位置させて、基板上に載置され、基板とともに温められるリフロー工程（２６０℃をピーク）が行われた後、半田付けによって、実装される。
【特許文献１】特開２００３−３１７８６１号公報
【発明の開示】
【発明が解決しようとする課題】
【００１１】
従来の構成のロック機構を有するコネクタでは、ロックピンは、金属製のカバーの一部として設けられた外れ防止ばね部により、樹脂製のハウジングのスライド溝部に押圧された状態となっている。
【００１２】
したがって、基板実装に際し、コネクタを基板上に搭載してリフローする場合、ハウジングにおいて、樹脂製の底面部分が軟化した状態でロックピンから圧力が加えられることになる。このため、リフロー終了後において、ロックピンの押圧により下方側に膨出した状態の変形がそのまま残りスライド溝も含むハウジングの平面全体が硬化して、コネクタの脇に配置された固定片の端子が、実装面から浮き上がり、半田付けを行いにくくなるという問題がある。
【００１３】
本発明はかかる点に鑑みてなされたものであり、基板実装に際し、リフローを行った場合でも、ハウジング自体が変形しにくく好適に実装できるプッシュインプッシュアウトタイプのメモリカードコネクタを提供することを目的とする。
【課題を解決するための手段】
【００１４】
本発明のメモリカードコネクタは、挿入されるメモリカードを収容するとともに、収容した前記メモリカードの電極に接続する端子を備える樹脂製のハウジングと、カードを挿入する挿入口を開口させた状態で前記ハウジングを上方から覆うシールドカバーと、前記ハウジング内に、前記メモリカードの挿入方向及び排出方向にスライド移動自在に配設され、前記メモリカードの前記ハウジング内への挿入に伴い、前記メモリカードに押圧されて前記ハウジング内を奥側の装着位置まで移動し、排出時には前記メモリカードとともに前記挿入口側の排出位置まで移動して、前記排出位置で前記メモリカードを前記挿入口から外側に突出させた状態で保持するスライド部材と、前記スライド部材を前記排出方向へ付勢する付勢部材と、前記ハウジング及びスライド部材のいずれか一方に形成されたハート形のカム溝部と、前記ハウジング及びスライド部材のいずれか他方に設けられるとともに前記カム溝部に係合し、前記メモリカードの押圧操作による前記スライド部材の移動に伴い、前記カム溝部内を移動して、前記スライド部材を、前記付勢部材の付勢力に抗して前記装着位置に保持する位置と、保持を解除する位置とに移動させるロックピンと、前記シールドカバーの一部を下方に切り起こして形成され、前記ロックピンを下方に押圧し、前記ロックピンの前記カム溝部からの抜けを防止する押圧部材とを有し、前記押圧部材は、前記シールドカバーに、前記ロックピンが前記排出位置から移動して前記カム溝部の移動中に前記カム溝部側に押圧する位置に形成され、前記排出位置における前記ロックピンと上方の前記シールドカバーとの間には隙間が形成されている構成を採る。
【発明の効果】
【００１５】
本発明によれば、プッシュインプッシュアウト式のコネクタにおいて、基板実装に際し、リフローを行った場合でも、ハウジング自体が変形しにくく好適に実装できる。
【発明を実施するための最良の形態】
【００１６】
以下、本発明の実施の形態について、図面を参照して詳細に説明する。
【００１７】
図１は、本発明の一実施の形態に係るメモリカードコネクタの構成を示す斜視外観図である。なお、図１は、便宜上、メモリカードコネクタの上面部分を透視した状態で示している。また、図１に示すメモリカードコネクタは、プッシュインプッシュアウト式のコネクタであり、ロック機構を有する。図１では、ロック機構において、スライダを付勢する付勢部材としてのコイルバネ（図２参照）は省略している。また、本実施の形態において、メモリカードコネクタ側における前方は、カード挿入口側を意味する。
【００１８】
図１に示すメモリカードコネクタ（以下、「コネクタ」という）１００は、平面視略矩形状の扁平な箱状をなし、内部にカード挿入口１０２から挿入されるメモリカード２００を収容する収容部（カード装着領域）１０４を備える。
【００１９】
なお、本実施の形態におけるメモリカード（以下、「カード」ともいう）２００は、種類ごとに決められた寸法、形状に形成されているため、メモリカードコネクタでは、使用されるメモリカードの寸法、形状に対応しているものとする。
【００２０】
本実施の形態におけるコネクタ１００に装着されるメモリカード２００には、先端部の一側部（メモリカード２００からみてコネクタ１００に対する挿入方向を先端側とした右側部）側を切り欠かいてなる切欠部２１０が形成されている。ここで切欠部２１０は、矩形状のメモリカードの先端部の一側面（右側面）において角部を含み、他側面と平行な１面とこの一面と傾斜して交差する２面とで四角形に切り落としてなる。よって、この切欠部２１０によりメモリカード２００の先端部は、後端部側よりも幅が狭くなっている。
【００２１】
また、メモリカード２００の一側部（挿入方向側を先端側とした右側部）には、切欠部２１０より基端側に、一側方（右側方）開口する爪係止溝２２０が形成されている。これによりメモリカード２００の一側部には、切欠部２１０と爪係止溝２２０との間で一側方（右側方）に突出する突起部２３０が形成されている。この突起部２３０の先端側の外面、つまり、切欠部２１０を形成する基端側面は、メモリカード２００の先端側から基端側に向かって右側方に立ち上がる傾斜面２１２となっている。ここでは、メモリカード２００は、矩形板状をなし、外形寸法を１１mm×１５mm×１mmとし、先端側の横幅を後端側の横幅１１mmよりも狭くして下面に複数の電極が配置された例えば、microSDカード（登録商標）とする。
【００２２】
コネクタ１００のコネクタ本体は、絶縁性を有する材料（ここでは、絶縁性の合成樹脂材）で形成された平面視略矩形状のハウジング１１０に、板状の導電性を有する材料（ここでは、金属板）を打ち抜き成形し、両側部をＬ字状に折り曲げることによりなるシールドカバー１２０を被せることによって構成される。なお、図１では、シールドカバー１２０の上面部１２１の両側部から折り曲げられてなる部位を側板部１２３、１２４として図示している。
【００２３】
図２は、本発明の一実施の形態に係るメモリカードコネクタにおいてシールドカバー１２０を外した状態のハウジングの平面図、図３は図２に示すハウジングの底面図、図４は図２に示すハウジングの右側面図である。
【００２４】
図２〜図４に示すハウジング１１０は、コンタクト１３０が配設された平面視略矩形状の底板部（板状本体部）１１２と、底面部１１２においてカード挿入口１０２の開口縁となる前側辺部１１２ａと隣り合う両側辺部から立設し、互いに対向して離間する案内側壁部１１３及び側壁部１１４とを有する。また、底面部１１２においてカード挿入口１０２と反対の後側端辺部から立設する後端壁部１１５ａ、１１５ｂが配設されている。
【００２５】
底面部１１２は、収容するカード２００の電極に電気的に接触するコンタクト（カンチレバーコンタクト等）１３０を保持している。具体的には、コンタクト１３０は、底面部１１２のほぼ中央で後端側（奥側）寄りの部分から後側（奥側）に向かって上方に傾斜しつつ突出して複数配設されている。
【００２６】
詳細に、コンタクト１３０は、ここでは、板ばね接触子として形成され、ハウジング１１０に保持される他の配線などとして機能する導電部材とともに、インサート成形によってハウジング１１０に一体的に形成されている。コンタクト１３０は、導電性を有する金属板を打ち抜き成形してなるインサート品の一部として形成されている。
【００２７】
コンタクト１３０は、挿入されるカード２００の挿入方向に沿って、底面部１１２の上面から後方に突出して配置され、先端が接点部１３２であるレバー部１３４を備える。
【００２８】
レバー部１３４は、底面部１１２に、先端の接点部１３２をハウジング１１０の後端壁部１１５側で、且つ、カード２００の挿入方向と直交する方向に所定間隔をあけて複数整列させた状態で配設されている。これにより、コンタクト１３０では、接点部１３２となる先端部がカード挿入口１０２に対向した状態で配列している。
【００２９】
ここでは、コンタクト１３０は、それぞれ長尺帯状の金属板を平面視Ｖ字またはＵ字形に加工してなる。この金属板の折り返し部分で折り返される一辺部をレバー部１３４とし、他辺部を底面部１１２に配設される固定片１３６とし、レバー部１３４を、固定片１３６に対して表面側に折曲することによって形成されている。
【００３０】
レバー部１３４と、固定片１３６のうちレバー部１３４と幅方向（左右方向）で並ぶ部位は、底面部１１２において開口した部位に配設され、固定片１３６の基端側部分及び先端側部分（コンタクト１３０の折り返し部分）はハウジング１１０の底面部１１２に固定されている。
【００３１】
固定片１３６は、底面部１１２に底面に沿って保持され、後方（奥側）に延びる一端部分は、後端壁部１１５の後端面から外方（後方）に突出され、この突出した部分を、実装基板にはんだ接合されるリード部１３８としている。
【００３２】
また、底面部１１２には、収容部１０４の一側方に配置され、側壁部１１４に沿って、挿入方向に沿って移動自在なスライダ１５０を備えるロック機構部１４０が配設されている。このロック機構部１４０と案内側壁部１１３との間には、挿入されるメモリカード２００の先端部の一側部（具体的には、切欠部２１０を規定する挿入方向に延在する面）に対向するとともにスライダ１５０の奥側への移動を規制する案内小壁部１１６が設けられている。なお、この案内小壁部１１６は、収容部１０４にカード２００（図１参照）を挿入する際に、カード２００の先端部がロック機構部１４０のハートカム溝部１８０への挿入することを規制する。
【００３３】
これら底面部１１２、ロック機構部１４０において案内側壁部１１３と対向する部分及び案内小壁部１１６は、案内側壁部１１３とともにハウジング１１０の上面側に開放した凹状を形成し、収容部１０４の両側面部分及び底板部分を規定している。
【００３４】
なお、案内側壁部１１３では、カード挿入口１０２側の部分（以下、「挿入口側部分」という）１１３ａには、内壁面に沿って金属製の補強板１３９が配設されている。これにより案内側壁部１１３の開口縁部分は補強されている。
【００３５】
後端壁部１１５は、挿入により収容部１０４に収容されたカード２００の先端部と近接して対向して配置され、当該収容部１０４に挿入されるカード２００の挿入方向への移動を規制する。
【００３６】
ロック機構部１４０は、収容部１０４となる領域の側方（ここでは、収容部１０４に対して側壁部１１４側）に挿抜方向に沿って配置されている。このロック機構部１４０は、挿入されるカード先端部の切欠部２１０に係合される張り出し部１５６を備えるスライダ１５０と、コイルバネ１６０と、ロックピン１７０と、ハートカム溝部１８０とを有する。
【００３７】
スライダ１５０は、底面部１１２上において収容部１０４の一側方に、カード２００の挿入方向に沿って移動自在に配置され、コイルバネ（付勢部材）１６０によって、カード２００の反挿入方向（抜脱方向）側に付勢されている。ここではスライダ１５０は、底面部１１２に形成されたスリット１１７に案内されて挿抜方向に移動自在となっている。
【００３８】
このスライダ１５０は、コネクタ本体において最もカード挿入口１０２側に移動した際の位置（カード挿入口側位置）にて、先端側のロック爪部１５５をメモリカード２００の爪係止溝２２０（図１参照）に係合させ、カード２００をコネクタ本体に対して挿抜自在に保持する。この保持状態をハーフロックといい、コネクタ本体において最もカード挿入口１０２側に移動した際の位置（カード挿入口側位置）をハーフロック位置とも言う。
【００３９】
スライダ１５０は、収容部１０４側に張り出す張り出し部１５６を備えるスライダ本体１５２と、スライダ本体１５２の先端側（前側）から突出してなり、先端部にカード２００の側面の爪係止溝２２０に出入りするロック爪部１５５が設けられた頸部１５３とを有する。
【００４０】
スライダ本体１５２の張り出し部１５６における収容部１０４側の側面１５６ａは、頸部１５３に連続する先端部から基端部側に向かって、収容部１０４側、つまり案内側壁部１１３側に張り出して傾斜する傾斜面となっている。
【００４１】
この側面（傾斜面ともいう）１５６ａの傾斜が、スライド本体１５２における張り出し部１５６を形成しており、挿入方向と交差する斜面である。この傾斜面１５６ａは、カード２００の切欠部２１０を形成する基端側面（傾斜面２１２）の傾斜に対応している。
【００４２】
スライダ本体１５２は、正しく挿入されたカード２００の爪係止溝２２０にロック爪部１５５が係止した際に、張り出し部１５６で切欠部２１０と嵌り合ってカード２００の先端部の側方（挿入方向を前にして右側）に位置することとなる。さらにカード２００が収容部１０４内に挿入されることで、張り出し部１５６は、カード２００によって挿入方向に押圧される。これにより、メモリカード２００を収容部１０４の奥側に挿入するだけで、スライダ１５０自体も追従して収容部１０４の奥側に移動して、カード２００が収容部１０４に完全に収容されるカード装着位置に移動される。
【００４３】
なお、ロック爪部１５５は、頸部１５３の先端部から平面視三角形状に案内側壁部１１３側に突出して形成されている。ロック爪部１５５は、後端側（奥側）に向かってカード２００における矩形状の爪係止溝２２０と確実に係止するために、後端側（奥側）の面１５５ｂは頸部の内側面に対して急な勾配が付けられている。また、ロック爪部１５５の先端側の面１５５ａには、爪係止溝２２０の出入りを容易にするために緩い勾配が付けられている。
【００４４】
図３に示すように、スライダ１５０の下面（スライダ本体１５２の下面）には、下方に突出して案内突起部１５１が形成され、この案内突起部１５１は、底面部１１２に形成されたスリット１１７に移動自在に遊嵌されている。
【００４５】
案内突起部１５１は、スライダ本体１５２の下面において幅方向の長さよりも前後方向に長く挿入方向（前後方向）に延在する突条をなし、ハウジング１１０において前後方向に延在するスリット１１７内をスリット１１７にガイドされつつ移動する。
【００４６】
図３に示すように、案内突起部１５１が遊嵌されたスリット１１７は、底面部１１２に、ハウジング１１０の前後方向に延在するととともに、カード挿入口１０２側の端部では、収容部１０４側とは反対側に拡がるように形成されている。
【００４７】
ここでは、スリット１１７では、カード挿入口側の先端部１１７ａは、側方に向かって拡がる扇状に形成されており、この先端部（以下、扇状部分ともいう）１１７ａに案内突起部１５１が位置する場合、案内突起部１５１は基端部側を中心に揺動自在となっている。この扇状部分１１７ａに案内突起部１５１が位置した際に、スライダ１５０自体は、カード挿入口側位置に位置することとなる。
【００４８】
このロック爪部１５５は、底面部１１２上に、スライダ１５０がハーフロック位置（図１に示す挿入口側位置）に位置する際に、収容部１０４側に対して離間方向に揺動するように配置されている。これにより、ハーフロック位置では、スライダ１５０は、底面部１１２に形成されたスリット１１７に案内されて挿抜方向に移動自在となっている。つまり、このスライダ１５０は、コネクタ本体において最もカード挿入口１０２側に移動した際の位置（カード挿入口側位置）にて、基端側を中心に水平に揺動自在に配置され、先端側のロック爪部１５５をメモリカード２００の爪係止溝２２０（図１参照）に係脱自在にハーフロックで保持可能となっている。
【００４９】
また、案内突起部１５１は、スリット１１７の奥側に移動すると長穴状部分１１７ｂに沿って直線的に移動して、長穴状部分１１７ｂの奥側の端部では、左右方向とともに基端側への移動が規制される。この構成によりスライダ１５０はハウジング１１０内における挿抜方向の移動範囲を規制されている。
【００５０】
また、スライダ本体１５２には、図２に示すように、後端壁部１１５と対向する基端面には、バネ受け突起１５７が後方に突出して設けられている。
【００５１】
このバネ受け突起１５７と、バネ受け突起１５７と対向するように、後端壁部１１５ｂから前方に突出して配置された突出部１１５ｇとに圧縮コイルばねであるコイルバネ１６０の端部がそれぞれ外嵌されている。
【００５２】
これにより、コイルバネ１６０は、スライダ１５０と後端壁部１１５ｂとの間に挿入方向に沿って配置された状態となっている。このコイルバネ１６０によって、スライダ１５０は、連結されたロックピン１７０とともに、常に前方（カード挿入口側）に付勢され、最も前側の移動終了位置である挿入口側の位置で、ロック爪部１５５を収容部１０４内に突出させて配置される。
【００５３】
図５は、図１に示すコネクタにおいてスライドがハーフロック位置に位置する場合のロックピンを示す部分縦断面図である。
【００５４】
図２及び図５に示すように、スライダ本体１５２の張り出し部１５６には、張り出し端部１５６ｂの上面を基端側（コネクタの奥側）に切り欠いてなるピン保持部１５８が形成されている。
【００５５】
ピン保持部１５８は、切り欠かれた上面で上方に開口する軸受け孔部を有する。この軸受け孔部に、丸棒の両端部を直角に折り曲げることでコ字状に形成されたロックピン１７０の他端部（先端部）１７４としての折り曲げ軸が回動自在に挿入され、ピン保持部１５８からロックピン１７０自体が挿入方向に延出している。
【００５６】
ロックピン１７０の基端部（一端部）１７２は、当該基端部１７２の先端をハートカム溝部１８０の底面に当接させた状態で、ハートカム溝部１８０に遊嵌されている。
【００５７】
具体的には、ロックピン１７０の一端部（基端部）１７２を構成する折り曲げ軸部は、ハートカム溝部１８０内に挿入されており、このロックピン１７０はハートカム溝部１８０の従動節となっている。これより、スライダ１５０は、ハートカム溝部１８０に沿って移動するロックピン１７０の移動の軌跡に従動して相対変位する。
【００５８】
ロックピン１７０はスライダ１５０と共に、ハウジング１１０の底面部１１２と、ハウジング１１０を覆うシールドカバー１２０の上面部１２１との間に配置され、水平方向に移動可能となっている。
【００５９】
また、ロックピン１７０は、ハートカム溝部１８０の底面上を摺動する際には、上方のシールドカバー１２０のピン圧接部（以下、「ガード部」という）１９０によって、ハートカム溝部１８０の底面側に圧接されるが、スライダ１５０が常態位置であるハーフロック位置、つまりカード挿入口１０２側の位置にあるときは、下方に圧接されない構成となっている。
【００６０】
図５に示すメモリカード２００がコネクタ１００に装着されていない状態において、ロックピン１７０と、上面部１２１との間には、ロックピン１７０の一端部１７２がハートカム溝部１８０から飛び出さない程度のクリアランスＧが設けられている。
【００６１】
ここでは、ロックピン１７０の上部には、所定間隔のクリアランスＧを介して、ハートカム溝部１８０を移動する際に、ロックピン１７０を下方に押圧するガード部１９０の基端部１９１ａが配置されている。なお、ガード部１９０は、ハーフロック位置から移動したロックピン１７０を下方に押圧するものであり、詳細は後述する。
【００６２】
ここで、ハートカム溝部１８０について説明する。
【００６３】
図６は、ハートカム溝部の拡大図である。図６に示すハートカム溝部１８０は、ハート形のカムの周囲に沿って形成されており、ハウジング１１０の底面部１１２において、一側部側の奥側に配設されている。ハートカム溝部１８０の底面には、先端部１７４をスライダ１５０に回動自在に接続したロックピン１７０の基端部１７２を所定の方向へと案内するように、段階的な複数のスロープおよび段部１８２ａ〜１８２ｆが形成されている。
【００６４】
ロックピン１７０の基端部１７２がハーフロック位置から出発してハーフロック位置へ復帰するまでの各スロープ１８２ａ〜１８２ｆ間の高さ関係は、図７に示すように形成されている。図７は、ハートカム溝部における段階的な斜面及び段部間のメモリカードコネクタの垂直方向における高さ関係を示す図である。
【００６５】
ここでは、スロープ及び段部１８２ａ〜１８２ｆは、当接するロックピン１７０の他端部が逆軌跡を描かないように形成されたものである。
【００６６】
図６及び図７に示すように、ハートカム溝部１８０における軌跡の出発点となる底面１８２ａは、スライダ１５０の底面と平行する平面となっている。そして、底面１８２ａから立ち上がるようにして斜面となるスロープ１８２ｂが形成されている。
【００６７】
斜面としての底面であるスロープ１８２ｂを過ぎると、底面１８２ａより高い平面を有する底面１８２ｃとなっている。底面１８２ｃを過ぎると段差となって、底面１８２ｃより低い平面を有する屈曲した底面１８２ｄとなる。
【００６８】
すなわち、ロックピン１７０の基端部１７２は、スライダ１５０がカード挿入口側位置からカード固定位置に移動する過程においては、底面１８２ｄに到達した際には、底面１８２ｃに戻ることはできない。そして、底面１８２ｄを過ぎると段差となって、底面１８２ｄより低い平面を有する底面１８２ｅとなる。
【００６９】
底面１８２ｅは、カード挿入口側に突出する平面視Ｖ字状の内壁によりＶ字溝を形成している。ロックピン１７０の基端部１７２は、スライダ１５０がカード挿入口側位置からカード固定位置に移動する過程においては、底面１８２ｅに到達した場合には底面１８２ｄに戻ることはできない。基端部１７２がＶ字溝３４の底面１８２ｅに到達した状態は、カード２００のロック状態又は装着状態である。なお、基端部１７２が底面１８２ａから底面１８２ｅに到る軌跡は往路の軌跡となる。
【００７０】
そして、コイルバネ１６０の付勢力に抗して、カード２００をコネクタ１００の奥側、つまり後側に更に挿入すると、ロックピン１７０の基端部１７２は、Ｖ字溝３４から解放されて、底面１８２ｅを過ぎて段差を下りて当該底面１８２ｅより低い平面の底面１８２ｆに位置するものとなる。すなわち、底面１８２ｆに到達した基端部１７２は、底面１８２ｅに戻ることはできない。
【００７１】
更に、底面１８２ｆに連続して底面１８２ｆから立ち上がるようにしてカード挿入方側に傾斜した斜面である底面（スロープ）１８２ｇが形成されている。
【００７２】
スロープ１８２ｇの挿入口側には、スロープ１８２ｇより高い平面を有する底面１８２ｈが形成されている。この底面１８２ｈのカード挿入口１０２側には、段差が形成され、底面１８２ｈより低い平面を有する底面１８２ａが配置されている。
【００７３】
このようにハートカム溝部１８０は、底面上を摺動するロックピン１７０の接触点（基端部１７２の先端）がハート状の平面軌跡を描きつつ、高さ方向には部分的に不可逆な軌跡を描くように形成されている。
【００７４】
ロックピン１７０は、ハートカム溝部１８０の底面に対して、シールドカバー１２０に形成されたガード部１９０により上方から押圧されつつ摺動する。
【００７５】
図８は、本実施の形態に係るメモリカードコネクタの斜視図である。
【００７６】
シールドカバー１２０は、金属板を加工して上面部１２１と、上面部１２１の両側辺からそれぞれ直交するように折曲してなる互いに平行に対向する側面部１２０Ｒ、１２０Ｌとを有する略正面視コ字状に形成されている。なお、側面部１２０Ｌは、案内側壁部１１３を被覆し、側面部１２０Ｒは側壁部１１４を被覆するものであり、側面部１２０Ｌ、１２０Ｒのそれぞれの両端部の下辺部には、水平方向外側に折曲してなり、コネクタ１００を基板に固定する固定片１２０ａが形成されている。
【００７７】
シールドカバー１２０の上面部１２１には、シールドカバー１２０内で挿入方向に移動するスライダ１５０（図１及び図２参照）に上方から圧力を加えて接触するスライダ圧接片１２２が設けられている。このスライダ圧接片１２２は、挿入方向に移動するスライダ１５０のスライダ本体１５２（図１及び図２参照）を常に下方に付勢し、スライダ１５０を底面部１１２に押し付けている。
【００７８】
ここでは、スライダ圧接片１２２は、シールドカバー１２０の上面部１２１において、スライダ１５０の移動領域の上面部分を形成する部位を加工して、後方から前側に向かって下方に延びるように形成された板バネ材である。
【００７９】
これによりスライダ１５０は、ハウジング１１０内において、前後方向に移動自在に常時押圧下方に押圧される（図１参照）。
【００８０】
また、シールドカバー１２０の側面部１２０Ｒには、挿入口近傍位置において、水平方向揺動自在に位置するスライダ１５０（図１及び図５参照）を収容部１０４側に押圧して、ロック爪部１５５を、カード２００の切欠溝部２２０に係合させる爪押圧片１２８が設けられている。
【００８１】
爪押圧片１２８は、シールドカバー１２０の側面部の一部を加工してなる長尺帯状の弾性部材、ここでは板バネにより構成されている。詳細には、爪押圧片１２８は、金属板を加工してなるシールドカバー１２０の側面部１２０Ｒにおけるカード挿入口側の部分において、後端側からカード挿入口側に向かってシールドカバー１２０の内側に突出するように切り出すことで形成されている。
【００８２】
この爪押圧片１２８の先端部は、内側、つまり収容部１０４側に突出するように折曲され、この折曲してなる折曲片１２９（図１参照）を、側壁部１１４においてカード挿入口側に形成された窓部１１４ａ（図１参照）を介して、ハウジング１１０内に突出させている。この窓部１１４ａを介して内部に突出する折曲片１２９の頂点部分でスライダ１５０の側面を収容部１０４側に向かって押圧する。
【００８３】
このように、爪押圧片１２８は、カード挿入口側の位置において、コイルバネ１６０によって前方に押圧されているスライダ１５０を、収容部１０４側に押圧している。このため、カード挿入口側の位置に位置するスライダ１５０は、ロック爪部１５５を収容部１０４内に突出させた状態で、爪押圧片１２８の押圧力に抗して揺動自在に配置された状態となっている。
【００８４】
さらに、シールドカバー１２０の上面部１２１には、板状のガード部１９０が、スライダ圧接片１２２よりも奥側で、ハウジング１１０の底面部１１２のハートカム溝部１８０の形状に対応して、後方に延び出るとともに、下方に傾斜して設けられている。
【００８５】
ガード部１９０は、スライダ１５０に連動して移動するロックピン１７０（図２参照）に上方から圧力を加えて、ハートカム溝部１８０に押し付けて、当該ハートカム溝部１８０の底面上を摺動させる。
【００８６】
図９は、ガード部の幅広部とハートカム溝部との関係を示す図であり、ガード部をコネクタの後方側からみた部分断面図である。
【００８７】
ガード部１９０は、スライダ圧接片１２２が形成された部位の後方に位置するハートカム溝部１８０に対して上方で対向するシールドカバー１２０の上面部１２１の部位を加工することにより形成されている。
【００８８】
ガード部１９０は、シールドカバー１２０の上面部１２１から下方に傾斜して延出された板バネであり、ロックピン１７０の一端部１７２がハートカム溝部１８０から抜けないように、ハートカム溝部１８０に沿って移動するロックピン１７０の軌跡に対応した形状に形成されている。
【００８９】
ここでは、ガード部１９０は、図８に示すように、平面視してハートカム溝部１８０の配設領域と重なるように配置され、帯状のガード本体部１９１と、ガード本体部１９１の先端に連続して形成され、先端側に向かって拡がる幅広部１９３とを有している。
【００９０】
ハートカム溝部１８０では複数高さの異なる底面を有し、Ｖ字溝３４に係合する底面１８２ｅを挟んだ往路を構成する底面（特に底面１８２ｄ）よりも、復路を構成する底面（特に底面１８２ｆ）の方が、底面の高さレベルが低い（図７参照）。このため、これら底面１８２ｃ〜ｆの高さに対応して、ガード部１９０の幅広部１９３の先端部分１９４は、ハートカム溝部１８０において復路側を構成する底面側に傾斜している（図９参照）。
【００９１】
すなわち、板状のガード部１９０では、上面部１２１の裏面から下方に挿入方向に傾斜しつつ延び出ているガード本体部１９１に対して、ガード本体部１９１の軸を中心に幅広部１９３の先端部分１９４を、復路を形成する底面側の端部側が下方に位置するようにねじられてなる。これにより、幅広部１９３の先端部分１９４は、上面部１２１に対して交差して捻れの位置に配置されるように形成されている。
【００９２】
ガード部１９０は、特に、ハートカム溝部１８０において、ロックピン１７０の一端部１７２が底面１８２ａ〜１８２ｈ同士による段差付近に位置する際に、ロックピン１７０をハートカム溝部１８０から外れないように設けられている。
【００９３】
このようにガード部１９０は、ハートカム溝部１８０における底面１８０ａ〜１８０ｈのそれぞれをロックピン１７０の一端部１７２が摺動する場合、どの底面においても、ロックピン１７０を略同一の荷重を与えるように押圧する構成となっている。
【００９４】
次に、上述のように構成されたメモリカードコネクタへのカード２００の着脱動作及びロック機構の動作を、ハートカム溝部に沿って移動するロックピンと、ロックピンをハートカム溝部に押圧するガード部との関係とともに説明する。
【００９５】
図１０は、ハートカム溝部、ハートカム溝部に沿って移動するロックピン及びピン押圧部の位置関係を示す図であり、図１１〜図１８は、図１０において、ロックピンの一端部がハートカム溝部において高さの異なる底面にそれぞれ位置する場合のガード部との関係を示す要部側断面図である。図１１〜図１８は、それぞれ図１０において一端部が底面１８２ａ〜１８２ｈ上のＭ１〜Ｍ８位置にそれぞれ位置するロックピンを示す要部側断面図である。
【００９６】
また、図１９は、本発明の一実施の形態に係るコネクタにカードが挿入された状態を段階的に示すハウジングの平面図である。なお、図１９ではコイルバネは便宜上省略している。図１９（ａ）は、図１３に対応するハウジングの平面図であり、図１９（ｂ）は図１５に対応し、コネクタにおいてスライダがカード装着位置に位置した状態を示すハウジングの平面図、図１９（ｃ）は、図１７に対応するハウジングの平面図である。さらに図２０及び図２１は、図１０に示すロックピンの一端部の位置に対応するロックピンとガード部との関係を示す要部平面図である。なお、図２０（ａ）〜（ｃ）はそれぞれ、位置Ｍ２〜Ｍ４に一端部１７２が位置するロックピン１７０とガード部１９０との位置関係を示し、図２１（ｄ）〜（ｇ）はそれぞれ、位置Ｍ５〜Ｍ８に一端部１７２が位置するロックピン１７０とガード部１９０との位置関係を示す。
【００９７】
図２及び図１１に示すように、カード２００が挿入されていないコネクタ１００では、スライダ１５０は、コイルバネ１６０（図２参照）によって、ハウジング１１０の底面部１１２上のカード挿入口側に位置しているとともに、爪押圧片１２８によって収容部１０４側に付勢されている。
【００９８】
これにより、底面部１１２とシールドカバー１２０の上面部１２１との間に配置されたスライダ１５０では、下面における案内突起部１５１がスリット１１７の前側端部に押圧されるとともに、スリット１１７の先端部１１７ａにおいて収容部１０４側に押圧される。このため、スライダ１５０は、カード挿入口側の位置で、抑止ロック爪部１５５を収容部１０４内に突出させた状態で、収容部１０４と逆側に水平方向で揺動自在にとなっている。
【００９９】
このとき、ロックピン１７０は、ガード部１９０のガード本体部１９１の基端部側下方にクリアランスＧを介して配置されている。すなわち、ロックピン１７０は、カード２００が挿入されていないコネクタ１００の常態時において、ハートカム溝部１８０に挿入された基端部１７２を、底面１８２ａの先端側端部側に位置させた状態で、上方から押圧されることなく配置されている（図５及び図１１参照）。
【０１００】
このような状態のコネクタ１００に、カード挿入口１０２からカード２００を挿入して押し込む。すると、カード２００の端部によって、収容部１０４内、つまり挿入領域に存在するロック爪部１５５の開口側の端面が挿入方向に押圧され、スライダ１５０自体が収容部１０４と逆側に水平方向に揺動する。これによりロック爪部１５５は、収容部１０４に挿入されるカード２００のカード２００の側面の突起部２３０の側面を摺動しつつ、カード２００から離間する方向に変位して、爪係止溝２２０に入り込む。これにより、カード２００自体は、挿抜自在なハーフロック状態で保持される（図１参照）。
【０１０１】
また、このとき、カード２００の切欠部２１０に対向して張り出し部１５６が配置されることとなり、切欠部２１０と張り出し部１５６が係合した状態となる。
【０１０２】
その後、コイルバネ１６０の付勢力に抗したカード２００の挿入方向（Ａ方向）への挿入によって、スライダ１５０は、ロック爪部１５５を爪係止溝２２０に係合させた状態で切欠部２１０を形成する傾斜面２１２により傾斜面１５６ａで押圧される。これにより、スライダ１５０は、スリット１１７にガイドされてコネクタ１００の後端側に向かって移動する。このとき、ロックピン１７０の基端部１７２（折り曲げ軸）は、ハートカム溝部１８０内に配置されているため、ロックピン１７０自体は底面上を往方向（底面１８２ａからスロープ１８２ｂ、底面１８２ｃを経て底面１８２ｄへ至る方向）に移動する。
【０１０３】
ロックピン１７０の一端部１７２が底面１８２ａから奥側に挿入方向に移動していくと、底面１８２ａの途中部分から、ロックピン１７０自体は上方から、上部の上面部１２１から挿入方向に向かって傾斜するガード部１９０に当接する。これにより、一端部１７２は底面１８２ａに押し付けられ摺動しながら、底面１８２ｂのスロープをあがり、底面１８２ｃを摺動し、図１２に示す位置Ｍ２まで移動する。一端部１７２が底面１８２ｃの位置Ｍ２に位置する場合では、図２０（ａ）に示すようにロックピン１７０の本体部分は、ガード部１９０の下部に位置し、当該ガード部１９０により底面１８２ｃに押圧されている。
【０１０４】
さらに、スライダ１５０が奥側に挿入されると、ロックピン１７０の一端部１７２は、段差のある底面１８２ｃから底面１８２ｄに落とし込まれ、図１３に示すＭ３位置まで移動する。このときのコネクタ１００に対するカード２００の挿入度合いは、図１９（ａ）に示す。また、一端部１７２が底面１８２ｄの位置Ｍ３に位置する場合のロックピンとガード部１９０との位置関係は図２０（ｂ）に示す状態となる。
【０１０５】
そして、位置Ｍ３まで押し込まれたカード２００の押し込み（挿入方向への押圧）が解除されると、ロックピン１７０の基端部１７２は、コイルバネの付勢力によって、カード挿入口側に押し戻される。このとき、ロックピン１７０の基端部１７２は、底面１８２よりも高い位置の底面１８２ｃ側に戻ることなく、底面１８２ｅ側に移動する。図１４及び図２０（ｃ）では、底面１８２ｃより底面の高さレベルの低い底面１８２ｄにおいて、底面１８２ｃとの段差部分により底面１８２ｅ側に案内されて、底面１８２ｅとの境界部分としての段差部分のＭ４位置に位置した状態を示している。
【０１０６】
底面１８２ｄと底面１８２ｅとの段差部分の位置Ｍ４に一端部１７２が位置するロックピン１７０は、ガード部１９０によって上方から確実に押圧されている。ガード部１９０において、一端部１７２が位置Ｍ４に位置するロックピン１７０を押圧する幅広部１９３の先端部分１９４（ここでは中央部分）は、底面１８２ｄより高さレベルの低い底面１８２ｅに対応して、底面１８２ｄ側の端部よりも下方に傾いている。このため、ガード部１９０は、ロックピン１７０に対し、一端部１７２が底面１８２ｄに位置する場合と略同様の荷重を与えている。
【０１０７】
そして、図１５に示すように、ロックピン１７０の一端部１７２は、コイルバネ１６０の付勢力によって底面１８２ｅに移動して、底面１８２ｅ上の位置Ｍ５にてＶ字溝３４に掛止される。
【０１０８】
Ｖ字溝３４にロックピン１７０の基端部１７２が係合している状態では、図１９（ｂ）に示すように、スライダ１５０は、コイルバネの付勢力による抜脱方向への移動を規制され、カード２００の装着位置に固定される。すなわち、カード２００は装着状態となる。このときガード部１９０は、図２１（ｄ）に示すように、幅広部１９３における先端部分１９４の略中央部分にて、ロックピン１７０を、Ｖ字溝部３４の底面１８２ｅ側に、一端部１７２が位置Ｍ４に位置する場合と略同様の荷重で押圧している。
【０１０９】
このように、図１５及び図１９（ｂ）に示すように、スライダ１５０が装着位置に位置している間、装着されたカード２００における先端側下面の電極が複数のコンタクト（カンチレバーコンタクト）１３０（図２参照）と接触し、カード２００のデータの読み書きを行うことができる。また、このとき、ロック爪部１５５は、カード２００の爪係止溝２２０に入り係合しているため、カード２００がコネクタ１００から振動等により容易に抜け出すことを防止できる。
【０１１０】
一方、ロック状態を解除して、カード２００カードを取り外す場合には、カード装着状態のカード２００をコネクタ１００の奥側に押し込む。つまり、カード２００を装着した状態において、コイルバネ１６０の付勢力に抗して、カード２００を挿入方向に更に挿入して、ロックピン１７０の基端部１７２（折り曲げ軸）をＶ字溝３４から解放させる。
【０１１１】
すると、底面１８２ｅ上のロックピン１７０の基端部１７２は、底面１８２ｅより高い段差で隣接する底面１８２ｄに戻らず、図１６及び図２１（ｅ）に示すように、底面１８２ｆ側へ移動する。
【０１１２】
一端部１７２が底面１８２ｅと底面１８２ｆの境界部分の位置Ｍ６に位置しているロックピン１７０は、ガード部１９０の幅広部１９３における先端部分１９４の中央部分よりも底面１８２ｆ側の部位で押圧される。なお、このときのガード部１９０のロックピン１７０に加える荷重は、幅広部１９３の先端部分１９４では中央部分を挟み底面１８２ｆ側の端部側を下方に傾かせているため、一端部１７２が位置Ｍ２や位置Ｍ４等に位置する場合と略同様の力となっている。
【０１１３】
そして、ロックピン１７０の一端部１７２は、Ｖ字溝３４から離脱して、位置Ｍ６を経過しつつ底面１８２ｅから底面１８２ｆ側に摺動し、図１７に示す底面１８２ｆ上に移動する。このように一端部１７２が底面１８２ｆの位置Ｍ７に位置しているロックピン１７０は、図２１（ｆ）に示すように、ガード部１９０の幅広部１９３の先端部分１９４における底面１８２側の端部により押圧される。なお、このときのロックピン１７０に加える荷重は、幅広部１９３の先端部分１９４において、ロックピン１７０に当接する部位を、底面１８２ｄ側の端部よりも下方に位置させているため、一端部１７２が位置Ｍ２や位置Ｍ４等に位置する場合と略同様の力となっている。
【０１１４】
このようにカード２００をコネクタ１００の奥側に押し込み、その押し込み状態が解除されると、コイルバネ１６０の付勢力によって、スライダ１５０の移動に追従して、カード挿入口１０２側に移動する。具体的には、ロックピン１７０の一端部１７２は、底面１８２ｆから底面（スロープ）１８２ｇ、底面１８２ｈを通り（図１８参照）、底面１８２ａに戻る復路の軌跡を描くように移動する。
【０１１５】
具体的には、ロックピン１７０の一端部１７２が底面（スロープ）１８２ｇをあがり、位置Ｍ７（図２１（ｆ）参照）から位置Ｍ８（図２１（ｇ）参照）に移動する場合でも一端部１７２の真上にはガード部１９０が配置している。
【０１１６】
このため、ロックピン１７０は常にガード部１９０より底面１８２ｆ、１８２ｇ、１８２ｈ側に押圧された状態となっている。また、このロックピン１７０の一端部１７２の移動は、底面１８２ｇを上がることで高さの高い位置への移動となるとともに、ガード部１９０の基端部側への移動となる。ガード部１９０における上面部１２１に対する突出度合いは、先端側の幅広部１９３の先端部分１９４よりも基端部側の方が緩い。このため、一端部１７２が上面部１２１に接近する高さ方向に移動しても、上方からの押圧力を、底面１８２ｆに位置する場合とほぼ同様のものとなっている。
【０１１７】
ハートカム溝部１８０に案内されて移動するロックピン１７０は、特に、ハートカム溝部１８０の段差のある部分においては、図１１〜図１８に示すように、常に、底面１８２ａから１８２ｈの高さレベルに対応して形成されたガード部１９０により、当該ハートカム溝部１８０側に略同一の圧力で押圧された状態となっている。
【０１１８】
このようにロックピン１７０は、ガード部１９０をシールドカバー１２０に備える構成であっても、ガード部１９０により常に略同一の圧力で、高さレベルの異なるハートカム溝部１８０の底面１８２ａ〜１８２ｈに押圧されつつ、それぞれの底面上を摺動する。このため、ロックピン１７０を、ハートカム溝部１８０の底面１８２ａ〜１８２ｈを削ることなく、且つ、外れることなく摺動させることができ、ハートカム溝部１８０による軌道を正確に通すことができる。
【０１１９】
このようなロックピン１７０の移動とともにスライダ１５０は、コイルバネ１６０の付勢力により抜脱方向に移動するため、傾斜面１５６ａで当接するカード２００の傾斜面２１２を抜脱方向に押圧して、カード２００を抜脱方向に移動させる。
【０１２０】
本実施の形態のコネクタ１００では、上方からシールドカバー１２０により覆われ、カード２００を収容する樹脂製のハウジング１１０内に、スライド部材であるスライダ１５０が、カード２００の挿入方向及び排出方向にスライド移動自在に配設されている。スライダ１５０は、カード２００のハウジング１１０内への挿入に伴い、カード２００に押圧されてハウジング１１０内を奥側の装着位置まで移動し、排出時にはカード２００とともに挿入口１０２側の排出位置（カード挿入口側位置）まで移動して、排出位置でカード２００を挿入口１０２から外側に突出させた状態で保持する。このスライダ１５０は、コイルバネ１６０により排出方向へ付勢されている。また、コネクタ１００では、ハウジング１１０にハートカム溝部１８０が形成され、スライダ１５０に、ハートカム溝部１８０に係合するロックピン１７０が設けられている。ロックピン１７０は、カード２００の押圧操作によるスライダ１５０のスライド移動に伴い、ハートカム溝部１８０内を移動して、スライダ１５０を、コイルバネ１６０の付勢力に抗して装着位置に保持する位置と、保持を解除する位置とに移動させる。このロックピン１７０は、シールドカバー１２０の一部を下方に切り起こして形成されたガード部（押圧部材）１９０によって、下方に押圧され、カム溝部１８０からの抜けが防止されている。このガード部１９０は、シールドカバー１２０に、ロックピン１７０が排出位置から移動してカム溝部１８０の移動中にカム溝部１８０側に押圧する位置に形成されている。また、排出位置におけるロックピン１７０と上方のシールドカバー１２０の上面部１２１との間にはクリアランスＧが形成されている。
【０１２１】
本実施の形態によれば、カード２００の未挿入時において、ロックピン１７０は、ガード部１９０のガード本体部１９１の基端部側下方にクリアランスＧを介して配置され、ハートカム溝部１８０に挿入された基端部１７２は、底面１８２ａの先端側端部側に位置させた状態で、上方から押圧されることなく配置されている。
【０１２２】
これにより、カード２００の挿入のない常態時において、ロックピン１７０には負荷が全くかかっていない。よって、ロックピン１７０に負荷がかからない状態で、コネクタ１００を基板に実装する場合のリフロー加熱を行うことができる。すなわち、常態時におけるコネクタ１００では、ロックピン１７０と、金属製のシールドカバー１２０の一部であるガード部１９０とが離間している。このため、ガード部１９０によるロックピン１７０を押さ付ける力とリフローにより加熱された熱がロックピン１７０に伝達されることがない。よって、ガード部１９０によってロックピン１７０がハートカム溝部１８０を有する樹脂製のハウジング１１０（詳細には、底面部１１２）に対して熱しながら押圧することがなく、リフロー加熱が行われることとなる。
【０１２３】
すなわち、従来と異なり、リフロー時において、樹脂製のハウジングの底面部分（底面部１１２）が軟化した状態でロックピンから圧力が加えられることによって生じる、ハウジングの底面部の中央部分を下方に膨出した高熱変形時の変改が、そのままハウジング１１０の平面全体（ハートカム溝部も含む）に影響して脇の固定片１２０ａが浮いた状態で硬化することがない。
【０１２４】
したがって、従来と異なり、両側部の固定片１２０ａの浮き上がり等といった、リフロー後のハウジング１１０の変形を防止することができ、リフロー後のコネクタ端子平坦度（コプラナリティ）を向上させることができる。
【０１２５】
また、ロックピン１７０が排出位置から移動してカム溝部１８０の移動中にカム溝部１８０側に押圧する位置ガード部１９０は、ハートカム溝部１８０の形状に対応して形成されている。具体的には、ロックピン１７０の一端部１７２が摺動する底面１８２ａ〜１８２ｈの異なる高さレベルに対応して、シールドカバー１２０から下方への突出度合いと、突出した幅広部１９３における幅方向に長い先端部分１９４を挿入方向と交差するように底面１８２ｄ〜１８２ｆの高さに沿って傾斜させている。これにより従来のハートカム溝を用いたロック機構にはない構成となっており、どの底面１８２ａ〜１８２ｈを摺動する一端部１７２に対しても略同一の押圧力を付与するものとなっている。
【０１２６】
なお、このコネクタ１００では、カード２００をイジェクトする際に、スライダ１５０のロック爪部１５５をカードの爪係止溝２２０へ爪押圧片（板バネ）１２８（図１参照）で付勢することによってカードの抜け止めとなる。さらに、メモリカード２００のイジェクト時において、ロック状態のカードを指先で弾いて（挿入方向に押して）ロック解除した際に、加速度を増して共にカード抜脱方向（排出方向）に移動するスライダ１５０とメモリカード２００の勢いを、爪押圧片１２８（図１参照）と、スライダ１５０自体を下方に付勢するスライダ圧接片１２２（図１参照）とによって抑制する。これにより、コネクタから排出されるメモリカード２００を直接押圧することがないため、カード２００自体の押圧痕を残すことなく当該カード２００の飛び出しを防止することができる。ロックピン１７０は、スライダ１５０に連結されているため、ガード部１９０による押圧もコイルバネ１６０によるスライダ１５０の抜脱方向への付勢力を減衰させている。
【０１２７】
なお、ハートカム溝部１８０は、コネクタ１００において、収容部１０４に収容されたメモリカードの先端部と、コネクタ１００の一方の側面（カード挿入口１０２を正面視して右側の側面）に沿って、挿入方向に延在するコイルバネ１６０との間に配置されている。つまり、コネクタ１００において、ハウジング１１０上に、収容部１０４と、スライダ１５０を付勢するコイルバネ１６０及びハートカム溝部１８０を含むロック機構部１４０とが収まりよく合理的に配置されている。
【０１２８】
よって、コネクタ１００では、当該コネクタ１００の横幅を、メモリカード自体の横幅と、ロック機構部１４０の横幅とを合わせた長さの幅に近似した長さに形成されており、小型化が図られ、実装スペースの省スペース化が図られている。
【０１２９】
また、カード挿入口側に位置するスライダ１５０には、スライダ圧接片１２２が圧接されている。このため、スライダ１５０が、コイルバネ１６０の付勢力によって、収容部内の最も後端側の位置であるカード保持位置からカード挿入口側の位置に戻る場合、つまり、カード排出動作時において、スライダ圧接片１２２は、主に爪押圧片１２８ととともに、付勢力によるスライダ１５０の移動力を減衰させることができる。
【０１３０】
本発明に係るメモリカードコネクタは上記各実施の形態に限定されず、種々変更して実施することが可能である。なお、上記本発明は、本発明の精神を逸脱しない限り、種々の改変をなすことができ、そして本発明が該改変させたものに及ぶことは当然である。
【産業上の利用可能性】
【０１３１】
本発明に係るメモリカードコネクタは、基板実装においてリフローを行った場合でも、ハウジング自体が変形しにくく好適に実装できる効果を有し、特に、携帯端末に用いて、当該携帯端末に搭載される各種メモリカードを装着するためのプッシュインプッシュアウト式のメモリカードコネクタとして有用である。
【図面の簡単な説明】
【０１３２】
【図１】本発明の一実施の形態に係るメモリカードコネクタの構成を示す斜視外観図
【図２】本発明の一実施の形態に係るメモリカードコネクタにおいてシールドカバーを外した状態のハウジングの平面図
【図３】図２に示すハウジングの底面図
【図４】図２に示すハウジングの右側面図
【図５】図１に示すコネクタにおいてスライドがハーフロック位置に位置する場合のロックピンを示す部分縦断面図
【図６】ハートカム溝部の拡大図
【図７】ハートカム溝部における段階的な斜面及び段部間のメモリカードコネクタの垂直方向における高さ関係を示す図
【図８】本実施の形態に係るメモリカードコネクタの斜視図
【図９】ガード部の幅広部の先端部分とハートカム溝部との関係を示す図
【図１０】ハートカム溝部、ハートカム溝部に沿って移動するロックピン及びピン押圧部の位置関係を示す図
【図１１】図１０において、ロックピンの一端部がハートカム溝部において高さの異なる底面にそれぞれ位置する場合のガード部との関係を示す要部側断面図
【図１２】図１０において、ロックピンの一端部がハートカム溝部において高さの異なる底面にそれぞれ位置する場合のガード部との関係を示す要部側断面図
【図１３】図１０において、ロックピンの一端部がハートカム溝部において高さの異なる底面にそれぞれ位置する場合のガード部との関係を示す要部側断面図
【図１４】図１０において、ロックピンの一端部がハートカム溝部において高さの異なる底面にそれぞれ位置する場合のガード部との関係を示す要部側断面図
【図１５】図１０において、ロックピンの一端部がハートカム溝部において高さの異なる底面にそれぞれ位置する場合のガード部との関係を示す要部側断面図
【図１６】図１０において、ロックピンの一端部がハートカム溝部において高さの異なる底面にそれぞれ位置する場合のガード部との関係を示す要部側断面図
【図１７】図１０において、ロックピンの一端部がハートカム溝部において高さの異なる底面にそれぞれ位置する場合のガード部との関係を示す要部側断面図
【図１８】図１０において、ロックピンの一端部がハートカム溝部において高さの異なる底面にそれぞれ位置する場合のガード部との関係を示す要部側断面図
【図１９】本発明の一実施の形態に係るコネクタにカードが挿入された状態を段階的に示すハウジングの平面図
【図２０】図１０に示すロックピンの一端部の位置に対応するロックピンとガード部との関係を示す要部平面図
【図２１】図１０に示すロックピンの一端部の位置に対応するロックピンとガード部との関係を示す要部平面図
【符号の説明】
【０１３３】
１００  コネクタ
１０２  カード挿入口
１０４  収容部
１１０  ハウジング
１１２  底面部
１１３  案内側壁部
１１４  側壁部
１２０  シールドカバー
１２１  上面部
１３０  コンタクト
１４０  ロック機構部
１５０  スライダ
１５２  スライダ本体
１５５  ロック爪部
１５６  張り出し部
１５８  ピン保持部
１６０  コイルバネ
１７０  ロックピン
１７２  一端部（基端部）
１７４  先端部
１８０  ハートカム溝部
１８２  底面
１９０  ガード部
１９１  本体部
１９３  幅広部
２００  メモリカード
【図１】
0004992685.tif 000002
【図２】
0004992685.tif 000003
【図３】
0004992685.tif 000004
【図４】
0004992685.tif 000005
【図５】
0004992685.tif 000006
【図６】
0004992685.tif 000007
【図７】
0004992685.tif 000008
【図８】
0004992685.tif 000009
【図９】
0004992685.tif 000010
【図１０】
0004992685.tif 000011
【図１１】
0004992685.tif 000012
【図１２】
0004992685.tif 000013
【図１３】
0004992685.tif 000014
【図１４】
0004992685.tif 000015
【図１５】
0004992685.tif 000016
【図１６】
0004992685.tif 000017
【図１７】
0004992685.tif 000018
【図１８】
0004992685.tif 000019
【図１９】
0004992685.tif 000020
【図２０】
0004992685.tif 000021
【図２１】
0004992685.tif 000022